(57)【特許請求の範囲】
【請求項１】
生体の一部を圧迫するために該生体の一部に巻回され、空気ポンプにより昇圧されるカフと、該カフ内の圧力を検出する圧力センサと、該カフと圧力センサとの間の接続管路に設けられ、前記空気ポンプによる圧力の脈動を除去するノイズ除去フィルタとを備え、前記圧力センサにより検出された前記カフ内の圧力に含まれる、前記生体の心拍に同期して発生する圧力振動の変化に基づいて該生体の血圧値を決定する自動血圧測定装置であって、
前記ノイズ除去フィルタは、本体と、該本体に、０．０７ｍｍ以下の厚み寸法のスリット状断面を備えて長手方向に貫通して形成された貫通穴とを備えたものであることを特徴とする自動血圧測定装置。
【請求項２】
前記カフと圧力センサとの間を接続する前記接続管路は、弾性変形可能な軟質樹脂製チュ−ブであり、
前記本体は、該軟質樹脂製チューブの内径よりも大きい外径を有する長手状の円柱状部材であって、該軟質樹脂製チューブ内に挿着されることを特徴とする請求項１の自動血圧測定装置。
【請求項３】
前記本体は、前記円柱状部材の軸心を通る平面で２分された一対の半円柱体の組合せ面が互いに密着させられた状態で組合せられることにより構成されており、
前記貫通穴は、該一対の半円柱体のうちの一方の半円柱体の組合せ面に前記軸心方向に形成された０．０７ｍｍ以下の深さの長溝と、他方の半円柱体の組合せ面のうち該長溝の開口を塞ぐ部分とから構成されていることを特徴とする請求項２の自動血圧測定装置。
【請求項４】
前記一対の半円柱体の組合せ面の一方と他方とには、位置決め突起と該位置決め突起を嵌め入れる位置決め穴とが形成されていることを特徴とする請求項３の自動血圧測定装置。
【請求項５】
前記一方の半円柱体の組合せ面の端部であって前記長溝と側縁との間の部分には１つの前記位置決め突起が形成され、
前記他方の半円柱体の組合せ面の両端部には、長手方向において反転したいずれの組合せ状態においても前記一方の半円柱体の組合せ面に突設された前記１つの位置決め突起が嵌め入れられるように２つの前記位置決め穴が形成されていることを特徴とする請求項４の自動血圧測定装置。
【請求項６】
前記一対の半円柱体の外周面には、前記軟質樹脂製チューブの内周面の一部を軸心側へ弾性変形することを許容する係合溝が形成されていることを特徴とする請求項３乃至５のいずれか１の自動血圧測定装置。
【請求項７】
前記一対の半円柱体は、成形型を用いて射出成形されたものである請求項３乃至６のいずれか１の自動血圧測定装置。
【発明の詳細な説明】
【技術分野】
【０００１】
本発明は、血圧測定中において、カフを昇圧させるために作動させられる空気ポンプによる圧力の脈動を除去するノイズ除去フィルタを備える自動血圧測定装置に関するものである。
【背景技術】
【０００２】
一般に、血圧測定装置は空気ポンプにより血圧測定用のカフを昇圧し、カフで生体の一部を圧迫し、昇圧あるいは降圧する過程でカフ内の圧力を圧力センサによって検出し、その圧力に含まれる生体の心拍に同期して発生する圧力振動の変化に基づいて生体の血圧値を決定することで、血圧測定を行う。ここで、空気ポンプによって昇圧する際に作動させられる容積型の空気ポンプからの吐出圧などに起因する圧力の脈動すなわちノイズが発生するため、カフの昇圧中に血圧測定を行う場合にこれらのノイズを除去するために、カフと圧力センサとの間にフィルタを設置することが知られている。このようなフィルタとしては、例えば、特許文献１に示すような、カフと圧力センサとの間に設けられ、空気圧入口と、フィルタケースとフィルタキャップとを超音波溶着により重ね合わせることで形成されるタンクおよび細管と、空気圧出口とを備えた溶着接合構造を有するものがある。
【０００３】
しかし、上記特許文献１のフィルタは、図１１に示すように、フィルタの周波数特性（周波数（Ｈｚ）に対する減衰率（ｄＢ））がカフ内の圧力の高低によってばらつく。特に、動脈の脈動に同期して発生するカフの圧力振動である脈波の変化に基づいて血圧測定を行うオシロメトリック法による血圧測定に際しては、その測定精度を維持するために、フィルタの周波数特性は、カフ内の圧力がどのような値であってもばらつくことのない周波数特性であることが望まれる。
【０００４】
これに対し、上記フィルタの代わりとして、銅パイプの一部を平坦に潰すことにより流通抵抗を調整してフィルタ効果を得たものが設置される。この銅パイプは所望の周波数特性が得られるような形状に微調整されており、図１０に示すように、上記特許文献１のフィルタよりもカフ内の圧力の高低による周波数特性のばらつきが比較的小さい。
【先行技術文献】
【特許文献】
【０００５】
【特許文献１】特開２００３−１６２２８３号公報
【発明の概要】
【発明が解決しようとする課題】
【０００６】
しかしながら、上記従来のフィルタは、手作業によって加工されるものであるため量産性が低く、素材に銅を用いていることからコストも高い。また、図１０におけるカフ内の圧力の高低による周波数特性のばらつきが小さいといえども、手作業で加工しているため一定の周波数特性を得ることは難しく、ばらつきが生じる可能性がある。
【０００７】
本発明は以上の事情を背景として為されたものであり、その目的とするところは、カフ内の圧力の高低に関わらず、ばらつきの少ない周波数特性を得ることができ、量産性が高く、低コストであるノイズ除去フィルタを備える自動血圧測定装置を提供することにある。
【課題を解決するための手段】
【０００８】
かかる目的を達成するために、本第１発明の要旨とするところは、（ａ）生体の一部を圧迫するために該生体の一部に巻回され、空気ポンプにより昇圧されるカフと、該カフ内の圧力を検出する圧力センサと、該カフと圧力センサとの間の接続管路に設けられ、前記空気ポンプによる圧力の脈動を除去するノイズ除去フィルタとを備え、前記圧力センサにより検出された前記カフ内の圧力に含まれる、前記生体の心拍に同期して発生する圧力振動の変化に基づいて該生体の血圧値を決定する自動血圧測定装置であって、（ｂ）前記ノイズ除去フィルタは、本体と、該本体に、０．０７ｍｍ以下の厚み寸法のスリット状断面を備えて長手方向に貫通して形成された貫通穴とを備えたものであることを特徴とするものである。
【発明の効果】
【０００９】
このように、前記第１発明によれば、前記ノイズ除去フィルタは、前記本体に、０．０７ｍｍ以下の厚み寸法のスリット状断面を備えて長手方向に貫通して形成された貫通穴を備えたものであるので、カフ内の圧力の高低に関わらず、ばらつきの少ない、減衰率の大きな周波数特性が得られる。
【００１０】
ここで、前記第１発明において、好適には、前記カフと圧力センサとの間を接続する前記接続管路は、弾性変形可能な軟質樹脂製チュ−ブであり、前記本体は、該軟質樹脂製チューブの内径よりも大きい外径を有する長手状の円柱状部材であって、該軟質樹脂製チューブ内に挿着される。このようにすれば、カフと圧力センサとの間のノイズ除去フィルタのための設置スペースが不要となるとともに、設けられたノイズ除去フィルタの挿着後の位置ずれを防止することができる。
【００１１】
また、好適には、前記本体は、前記円柱状部材の軸心を通る平面で２分された一対の半円柱体の組合せ面が互いに密着させられた状態で組合せられることにより構成されており、前記貫通穴は、該一対の半円柱体のうちの一方の半円柱体の組合せ面に前記軸心方向に形成された０．０７ｍｍ以下の深さの長溝と、他方の半円柱体の組合せ面のうち該長溝の開口を塞ぐ部分とから構成されている。このようにすれば、厚み寸法が小さいスリット状断面を有する貫通穴を容易に加工でき、より簡易に設けることができる。
【００１２】
また、好適には、前記一対の半円柱体の組合せ面の一方と他方とには、位置決め突起と該位置決め突起を嵌め入れる位置決め穴とが形成されている。このようにすれば、位置決め突起を位置決め穴内へ嵌め入れることで、一対の半円柱体を軟質樹脂製チューブ内に位置ずれすることなく挿着することができる。
【００１３】
また、好適には、前記一方の半円柱体の組合せ面の端部であって前記長溝と側縁との間の部分には１つの前記位置決め突起が形成され、前記他方の半円柱体の組合せ面の両端部には、長手方向において反転したいずれの組合せ状態においても前記一方の半円柱体の組合せ面に突設された前記１つの位置決め突起が嵌め入れられるように２つの前記位置決め穴が形成されている。このようにすれば、位置決め突起を位置決め穴内へ嵌め入れることで、一対の半円柱体を一層容易に組合せることができる。
【００１４】
また、好適には、前記一対の半円柱体の外周面には、前記軟質樹脂製チューブの内周面の一部を軸心側へ弾性変形することを許容する係合溝が形成されている。このようにすれば、ノイズ除去フィルタは、その外径よりも小径の内径を有する軟質樹脂製チューブによって把持されるので、一対の半円柱体を軟質樹脂製チューブ内に位置ずれすることなく挿着することができる。
【００１５】
また、好適には、前記一対の半円柱体は、成形型を用いて射出成形されたものである。このようにすれば、貫通穴において成形型の加工精度と同等の形状精度が得られるので、どのような圧力であっても周波数特性がばらつくことがなく、安価なノイズ除去フィルタを、量産することができる。
【図面の簡単な説明】
【００１６】
【図１】本発明が適用された自動血圧測定装置の構成を説明するブロック図である。
【図２】図１の自動血圧測定装置の軟質樹脂製チューブ内に挿着されたノイズ除去フィルタをその軟質樹脂製チューブの一部を切り欠くことで示す図である。
【図３】図２のノイズ除去フィルタのIII −III 視断面図である。
【図４】図１の自動血圧測定装置におけるノイズ除去フィルタを構成する一対の半円柱体のうち、一方の半円柱体の組合せ面を他方の半円柱体方向から見た図である。
【図５】図４のＶ−Ｖ視断面図である。
【図６】図１の自動血圧測定装置におけるノイズ除去フィルタを構成する一対の半円柱体のうち、他方の半円柱体の組合せ面を一方の半円柱体方向から見た図である。
【図７】図６のVII −VII 視断面図である。
【図８】図１の自動血圧測定装置のノイズ除去フィルタを２５０個、従来品を４０個準備し、それらに３００ｍｍＨｇの圧力をかけ、流れる空気の量（流量）を調べ、その分布をグラフで表した図である。
【図９】図１の自動血圧測定装置におけるノイズ除去フィルタの周波数特性を示す図である。
【図１０】従来のノイズ除去フィルタの周波数特性を示す図である。
【図１１】従来のノイズ除去フィルタの周波数特性を示す図である。
【図１２】図１の自動血圧測定装置におけるノイズ除去フィルタに形成されたスリット状断面の貫通穴に代えて、図１のノイズ除去フィルタと同程度の流量をもつ円形断面の貫通穴を設けたノイズ除去フィルタの周波数特性を示す図である。
【発明を実施するための形態】
【００１７】
以下、本発明の一実施例について図面を参照しつつ詳細に説明する。
【実施例】
【００１８】
図１は本発明が適用された自動血圧測定装置１０の構成を説明するブロック図である。図１において、カフ１２は、一般的な上腕の血圧測定用圧迫帯であり、例えば患者の上肢の一部である上腕部１４に巻回される。カフ１２には、圧力センサ１６、排気弁１８および空気ポンプ２０が軟質樹脂製チューブ２４により接続されている。また、カフ１２と圧力センサ１６との間の軟質樹脂製チューブ２４内には、ノイズ除去フィルタ２２が挿着されている。上記カフ１２は、布製帯状外袋内に軟質ポリ塩化ビニルなどの軟質樹脂製である膨張袋を収容した構造である。
【００１９】
圧力センサ１６は、カフ１２内の圧力を検出してその圧力を表す圧力信号ＳＰBを静圧弁別回路２６および脈波弁別回路２８にそれぞれ供給する。静圧弁別回路２６はローパスフィルタを備えており、圧力信号ＳＰBに含まれる定常的な圧力すなわちカフ１２の圧迫圧力である上腕圧迫圧を表す上腕圧迫圧信号ＳＣBを弁別して、その上腕圧迫圧信号ＳＣBを図示しないＡ／Ｄ変換器を介して電子制御装置３０へ供給する。脈波弁別回路２８はバンドパスフィルタを備えており、圧力信号ＳＰBの振動成分である上腕脈波信号ＳＭBを弁別してその上腕脈波信号ＳＭBを図示しないＡ／Ｄ変換器を介して電子制御装置３０へ供給する。上記脈波弁別回路２８により弁別される上腕脈波信号ＳＭBは、上腕を通る動脈の拍動に同期してカフ１２に発生する圧力振動すなわち上腕脈波を表す。
【００２０】
排気弁１８は、カフ１２内を徐々に排気する定速排気弁、およびカフ１２内を急速に排気する急速排気弁を含むように構成されている。空気ポンプ２０は、上腕部１４をカフ１２により圧迫するために圧縮空気を圧送する装置であって、ダイヤフラムが電動機によって往復駆動されるダイヤフラムポンプのような容積式ポンプであり、その吐出圧には脈動ノイズが含まれる。ノイズ除去フィルタ２２は、専らその脈動ノイズを除去するためのローパスフィルタの一種である。軟質樹脂製チューブ２４は、カフ１２と圧力センサ１６、排気弁１８、および空気ポンプ２０それぞれとを接続する弾性変形可能な軟質の樹脂製の管である。
【００２１】
電子制御装置３０は、ＣＰＵ３２、ＲＯＭ３４、ＲＡＭ３６、および図示しないＩ／Ｏポート等を備えた所謂マイクロコンピュータにて構成されている。ＣＰＵ３２は、ＲＯＭ３４に予め記憶されたプログラムに従ってＲＡＭ３６の一時記憶機能を利用しつつ信号処理を実行し、Ｉ／Ｏポートから駆動信号を出力することにより、排気弁１８、空気ポンプ２０を制御する。また、ＣＰＵ３２は、電子制御装置３０に供給される上腕圧迫圧信号ＳＣＢおよび上腕脈波信号ＳＭＢに基づいて演算処理を実行することにより、脈拍に同期して逐次発生するたとえば上腕脈波信号ＳＭＢの間の差分が最大となるときのカフ圧に基づいて血圧値を決定する。
【００２２】
血圧測定装置１０は、さらに、入力装置３８および出力装置４０を備えている。上記入力装置３８は、たとえば、測定開始時に操作されることにより起動信号ＳＴを電子制御装置３０へ供給する。出力装置４０は、印刷や画面表示などにより、電子制御装置３０から送られて来るＣＰＵ３２が決定した血圧値の情報を出力する。
【００２３】
図２は、軟質樹脂製チューブ２４内に挿着されたノイズ除去フィルタ２２を軟質樹脂製チューブ２４の一部を切り欠くことで示した図である。図３は、図２のノイズ除去フィルタ２２のIII −III 視断面図である。ノイズ除去フィルタ２２は、たとえば、空気ポンプ２０によってカフ１２を昇圧させる際に発生するノイズを除去するために挿着されており、図２および図３に示すように、一対の半円柱体４２および５２から構成された長手状の円柱状形状の部材であり、その外径は軟質樹脂製チューブ２４の内径よりも大きい値である。図３に示すように、軸心を通る面で分割された一対の半円柱体４２および５２を相互に組合せた状態で、図２に示すように軟質樹脂製チューブ２４内に押し入れることで、カフ１２と圧力センサ１６との間に挿着されている。一対の半円柱体４２および５２は、それ等半円柱体４２および５２と同形状の成型キャビティを有し、それ等半円柱体４２の組合せ面４４、および半円柱体５２の組合せ面５４と面一の分割面を有する一対の成形型をそれぞれ用いて、例えばポリカーボネート樹脂、アクリル樹脂を溶融状態で成型キャビティ内へ射出する射出成形により製作されている。
【００２４】
ノイズ除去フィルタ２２は、その長手方向に貫通して形成された貫通穴６０を有する。ノイズ除去フィルタ２２のフィルタとしての特性は、貫通穴６０の断面形状、断面積、および流路の長さに基づく空気の流通抵抗と、圧力センサ１６までの空気容量によって決定されるが、本実施例のノイズ除去フィルタ２２は、従来では形成できなかった微小厚みのスリット状断面を備える点に特徴がある。本実施例の貫通穴６０は、後述の図９に示すような周波数特性（周波数（Ｈｚ）に対する減衰率（ｄＢ））を備えるため、０．０７ｍｍ以下の厚み寸法Ｔと１ｍｍ程度の幅寸法Ｗとを有するスリット状断面と、１５ｍｍ程度の長さ寸法Ｌとを備えるように形成されている。
【００２５】
図４は、ノイズ除去フィルタ２２を構成する一対の半円柱体４２および５２のうち、一方の半円柱体４２の組合せ面４４を他方の半円柱体５２方向から見た図であり、図５は図４のＶ−Ｖ視断面図である。一方の半円柱体４２は、円柱状部材をその軸心を通る平面で２分したような形状をしており、図４および図５に示すように、その平面部分には、組合せ面４４と、長溝４６と、１つの位置決め突起４８とが設けられ、その外周面には、複数の凹溝５０が連ねて設けられている。また、図６は、他方の半円柱体５２の組合せ面５４を一方の半円柱体４２方向から見た図であり、図７は図６のVII −VII 視断面図である。他方の半円柱体５２は、一方の半円柱体４２と同様に円柱状部材をその軸心を通る平面で２分したような形状をしており、その平面部分には、組合せ面５４と、２つの位置決め穴５６とが設けられ、その外周面には、複数の凹溝５８が設けられている。ノイズ除去フィルタ２２は、一方の半円柱体４２の組合せ面４４と他方の半円柱体５２の組合せ面５４とが、互いに密着させられた状態で組合せられることにより円柱状に構成されている。
【００２６】
ここで、図３に示すような貫通穴６０は、一方の半円柱体４２の組合せ面４４の軸心方向に、貫通穴６０の断面形状が所望の形状となるような深さが０．０７ｍｍ以下の長溝４６を形成し、他方の半円柱体５２の組合せ面５４を一方の半円柱体４２の組合せ面４４と組合せることで長溝４６の開口を塞ぐことで構成される。上記長溝４６の深さ、幅、長さは、貫通穴６０の厚みＴ、幅Ｗ、長さＬに相当する。
【００２７】
一対の半円柱体４２および５２は、上述のように、それぞれの組合せ面４４および５４を組合せた状態でノイズ除去フィルタ２２の外径Ｄよりも小さい内径を有する軟質樹脂製チューブ２４内に挿入されるが、組合せた後の相互の位置ずれを防ぐため、一方の半円柱体４２の組合せ面４４に設けた１つの位置決め突起４８が、組合せ面４４の端部であって長溝４６と側縁との間の部分に形成され、他方の半円柱体５２の組合せ面５４に設けた２つの位置決め穴５６が、組合せ面５４の両端部であって長手方向において反転したいずれの組合せ状態においても一方の半円柱体４２の組合せ面４４に設けられた１つの位置決め突起４８が嵌め入れられるように形成されている。
【００２８】
また、一対の半円柱体４２および５２は、その外周面に、複数の凹溝５０および５８が形成されており、その複数の凹溝５０および５８に弾性変形可能な軟質樹脂製チューブ２４の内周面の一部が軸心側へ弾性変形することを許容し、軟質樹脂製チューブ２４が食込むことで、一対の半円柱体４２および５２の軟質樹脂製チューブ２４内に挿着された後の位置ずれが防がれる。
【００２９】
図８は、本実施例のノイズ除去フィルタ２２においては２５０個、銅パイプの一部を平坦に潰した従来品においては４０個のサンプルを準備し、それらに３００ｍｍＨｇの圧力をかけ、流れる空気の量（流量）を調べ、その分布をグラフで表したものである。縦軸にサンプル数（個）が示され、横軸に流量（ｃｃ／ｍｉｎ）が２０ｃｃ／ｍｉｎの範囲毎に示されている。図８中の左側の縦軸は、従来品のサンプル数であり、右側の縦軸は、本実施例のノイズ除去フィルタ２２のサンプル数である。
【００３０】
図８中において、黒塗りのグラフで示す本実施例のノイズ除去フィルタ２２の場合、流量分布は、２７０−３７０ｃｃ／ｍｉｎの範囲内であり、そのうちのほとんどが２９０−３３０ｃｃ／ｍｉｎの狭い範囲に集中している。一方、白抜きのグラフで示す従来品の場合、流量分布は、２９０−４３０以上ｃｃ／ｍｉｎの広い範囲に及んでいる。すなわち、本実施例のノイズ除去フィルタ２２は、射出成形により製作されていることにより、従来品に比べて高い形状精度を有している。
【００３１】
図９は、上記本実施例におけるノイズ除去フィルタ２２の周波数特性を示すもので、５０、１５０および３００ｍｍＨｇの３つの圧力における周波数特性を示したものである。縦軸に減衰率（ｄＢ）が示され、横軸に対数目盛により周波数（Ｈｚ）が示されている。上記本実施例におけるノイズ除去フィルタ２２の周波数特性は、カフ内の圧力によるばらつきが前述の図１０および図１１に示す従来のフィルタの周波数特性と比較して小さくなっている。
【００３２】
ここで、図１２は、本実施例のノイズ除去フィルタ２２に形成されたスリット状断面の貫通穴６０に代えて、本実施例と同程度の流量をもつ円形断面の貫通穴を設けたフィルタの周波数特性を示すものである。円形断面の貫通穴を設けたフィルタは、周波数が１ｅ＋２Ｈｚのときの減衰率が０〜−５ｄＢである。これに対して、本実施例のノイズ除去フィルタ２２は、図９に示されるように、周波数が１ｅ＋２Ｈｚのときの減衰率が−１５〜−２０ｄＢであり、円形断面の貫通穴を設けたフィルタと比較して本実施例のノイズ除去フィルタ２２は大きな減衰率が得られる。
【００３３】
上述のように、本実施例の自動血圧測定装置１０によれば、ノイズ除去フィルタ２２は、本体に、０．０７ｍｍ以下の厚み寸法Ｔのスリット状断面を備えて長手方向に貫通して形成された貫通穴６０を備えたものであるので、カフ１２内の圧力の高低に関わらず、ばらつきの少ない、減衰率の大きな周波数特性が得られる。
【００３４】
また、本実施例の自動血圧測定装置１０によれば、カフ１２と圧力センサ１６との間を接続する接続管路２４は、弾性変形可能な軟質樹脂製チュ−ブであり、本体は、その軟質樹脂製チューブ２４の内径よりも大きい外径を有する長手状の円柱状部材であって、その軟質樹脂製チューブ２４内に挿着される。このようにすれば、ノイズ除去フィルタ２２をカフ１２と圧力センサ１６との間にノイズ除去フィルタ２２のための設置スペースが不要となるとともに、設けられたノイズ除去フィルタ２２の挿着後の位置ずれを防止することができる。
【００３５】
また、本実施例の自動血圧測定装置１０によれば、本体は、円柱状部材の軸心を通る平面で２分された一対の半円柱体４２および５２のそれぞれの組合せ面４４および５４が互いに密着させられた状態で組合せられることにより構成されており、貫通穴６０は、その一対の半円柱体４２および５２のうちの一方の半円柱体４２の組合せ面４４に前記軸心方向に形成された０．０７ｍｍ以下の深さの長溝４６と、他方の半円柱体５２の組合せ面５４のうちその長溝４６の開口を塞ぐ部分とから構成されている。このようにすれば、厚み寸法Ｔが小さいスリット状断面を有する貫通穴６０を容易に加工でき、より簡易に設けることができる。
【００３６】
また、本実施例の自動血圧測定装置１０によれば、一対の半円柱体４２および５２の組合せ面の一方４４と他方５４とには、位置決め突起４８とその位置決め突起４８を嵌め入れる位置決め穴５６とが形成されている。このようにすれば、位置決め突起４８を位置決め穴５６内へ嵌め入れることで、一対の半円柱体４２および５２を軟質樹脂製チューブ２４内に位置ずれすることなく挿着することができる。
【００３７】
また、本実施例の自動血圧測定装置１０によれば、一方の半円柱体４２の組合せ面４４の端部であって長溝４６と側縁との間の部分には１つの位置決め突起４８が形成され、他方の半円柱体５２の組合せ面５４の両端部には、長手方向において反転したいずれの組合せ状態においても一方の半円柱体４２の組合せ面４４に突設された１つの位置決め突起４８が嵌め入れられるように２つの位置決め穴５６が形成されている。このようにすれば、位置決め突起４８を位置決め穴５６内へ嵌め入れることで、一対の半円柱体４２および５２を一層容易に組合せることができる。
【００３８】
また、本実施例の自動血圧測定装置１０によれば、一対の半円柱体４２および５２の外周面には、軟質樹脂製チューブ２４の内周面の一部を軸心側へ弾性変形することを許容する凹溝５０および５８が形成されている。このようにすれば、ノイズ除去フィルタ２２は、その外径Ｄよりも小径の内径を有する軟質樹脂製チューブ２４によって把持されるので、一対の半円柱体４２および５２を軟質樹脂製チューブ２４内に位置ずれすることなく挿着することができる。
【００３９】
また、本実施例の自動血圧測定装置１０によれば、一対の半円柱体４２および５２は、成形型を用いて射出成形されたものである。このようにすれば、貫通穴６０において成形型の加工精度と同等の形状精度が得られるので、どのような圧力であっても周波数特性がばらつくことがなく、安価なノイズ除去フィルタ２２を、量産することができる。
【００４０】
以上、本発明の一実施例を図面に基づいて説明したが、本発明はその他の態様においても適用される。
【００４１】
例えば本実施例では、上腕にカフ１２を装着して血圧測定等が実施されるが、カフ１２が装着される被圧迫部位は生体の一部であれば良く、例えば、手の指や手首に巻回される圧迫帯が用いられてもよい。
【００４２】
また、本実施例では、ノイズ除去フィルタ２２は、一対の半円柱体４２および５２を組合せることで形成されているが、例えばレーザ加工によって貫通穴６０と同様の形状の貫通穴を得ることができるのであれば、１つの部材から形成されてもよい。
【００４３】
また、一方の半円柱体４２の組合せ面４４に形成される位置決め突起４８および他方の半円柱体５２の組合せ面５４に形成される位置決め穴５６の数は、半円柱体を長手方向において反転したいずれの組合せ状態においても嵌め込むことができるのであれば、いくつあってもよい。
【００４４】
また、ノイズ除去フィルタ２２は、軟質樹脂製チューブ２４内に１つのみ設置されているが、貫通穴の流路の長さを調整するために複数個を続けて設けてもよい。
【００４５】
その他、本発明はその主旨を逸脱しない範囲において種々変更が加えられ得るものである。
【符号の説明】
【００４６】
１０：自動血圧測定装置
１２：カフ
１４：上腕部（生体の一部）
１６：圧力センサ
２０：空気ポンプ
２２：ノイズ除去フィルタ
２４：軟質樹脂製チューブ（接続管路）
４２：一方の半円柱体（半円柱体）
４４：組合せ面
４６：長溝
４８：位置決め突起
５０：凹溝（係合溝）
５２：他方の半円柱体（半円柱体）
５４：組合せ面
５６：位置決め穴
５８：凹溝（係合溝）
６０：貫通穴
Ｔ：厚み寸法
【図１】
0005528272.tif 000002
【図２】
0005528272.tif 000003
【図３】
0005528272.tif 000004
【図４】
0005528272.tif 000005
【図５】
0005528272.tif 000006
【図６】
0005528272.tif 000007
【図７】
0005528272.tif 000008
【図８】
0005528272.tif 000009
【図９】
0005528272.tif 000010
【図１０】
0005528272.tif 000011
【図１１】
0005528272.tif 000012
【図１２】
0005528272.tif 000013